(57)【要約】【課題】形状が略同一である容器にそれぞれ収納された同じ用途に使用される複数の商品を、販売員等が得意先や店頭でその商品の販売促進活動を行い易いように陳列するための携帯用商品陳列具を提供する。【解決手段】形状が略同一である容器Ｐにそれぞれ収納された同じ用途に使用される複数の商品を陳列するための携帯用商品陳列具を、容器Ｐの形状と略同一形状の複数の保持部１ａと各保持部１ａに並設する表示部１ｂとがそれぞれ貫通して穿設されている容器Ｐの厚さと略同一の厚さの平面形状が長方形の発泡弾性板状体より成る保持体１と、一端を除いて３つの周囲が固着されている透明な合成樹脂板製の二重構造より成り保持体１の一面に固着されている保持体１とその平面形状が同一な用紙収納体２と、用紙収納体２内に収納されて少なくとも保持体１の表示部１ｂに商品の品番や名称等を示す商品表示用紙３とで構成する。【選択図】        図１
2004159818.tif 000002
【特許請求の範囲】
【請求項１】
形状が略同一である容器（Ｐ）にそれぞれ収納された同じ用途に使用される複数の商品を陳列するための携帯用商品陳列具であって、該容器（Ｐ）の形状と略同一形状の複数の保持部（１ａ）と該各保持部（１ａ）に並設する表示部（１ｂ）とがそれぞれ貫通して穿設されている該容器（Ｐ）の厚さと略同一の厚さの平面形状が長方形の発泡弾性板状体より成る保持体（１）と、一端を除いて３つの周囲が固着されている透明な合成樹脂板製の二重構造より成り該保持体（１）の一面に固着されている該保持体（１）とその平面形状が同一な用紙収納体（２）と、該用紙収納体（２）内に収納されて少なくとも該保持体（１）の表示部（１ｂ）に商品の品番や名称等を示す商品表示用紙（３）とを備えていることを特徴とする携帯用商品陳列具。
【請求項２】
保持部（１ａ）と表示部（１ｂ）とが連通している請求項１に記載の携帯用商品陳列具。
【請求項３】
各保持部（１ａ）にそれぞれ取外し部（１ｃ）が連通して設けられている請求項１又は２に記載の携帯用商品陳列具。
【請求項４】
商品表示用紙（３）が、保持体（１）の保持部（１ａ）に保持される容器（Ｐ）内の商品の形状等を該保持部（１ａ）に対応する位置に示している商品表示用紙である請求項１から３までのいずれか１項に記載の携帯用商品陳列具。
【請求項５】
商品表示用紙（３）が、容器（Ｐ）にそれぞれ収納される同じ用途に使用される複数の商品を概観できる説明を保持体（１）への固着面と反対側に示している商品表示用紙である請求項１から４までのいずれか１項に記載の携帯用商品陳列具。
【請求項６】
保持体（１）及び該保持体（１）に固着された用紙収納体（２）が、外部より確認できるように透明な収納ケース（４）内に収納されている請求項１から５までのいずれか１項に記載の携帯用商品陳列具。
【発明の詳細な説明】
【０００１】
【産業上の利用分野】
本発明は、形状が略同一である容器にそれぞれ収納された同じ用途に使用される複数の商品を、営業マンや販売員等が得意先や店頭でその商品の説明や宣伝等の販売促進活動を行い易いように携帯して陳列するための携帯用商品陳列具に関するものである。
【０００２】
【従来の技術】
一般に、形状が略同一である容器にそれぞれ収納された同じ用途に使用される複数の商品、例えば歯科用の歯牙切削器具や電導ドライバのビット等の商品は、通常はそれぞれの商品を見分けるための品番や名称等が容器に表示されているが、その容器が非常に小さいものである場合には品番や名称等を表示するスペースが狭いので品番や名称等を表示する文字が細さくなってしまい、またその容器が比較的大きなものである場合にもその容器のデザインによっては品番や名称等の表示する文字が細さくなってしまうので、それらの商品の説明や宣伝等の販売促進活動を行う営業マンや販売員等でさえも、一見してその商品の品番や名称等を認識することは容易ではない。
【０００３】
また、このような商品が収納される容器がその容器内にある商品を外側から確認できるように透明又は半透明の材質より形成されている場合であっても、その容器に収納された商品自体の形状も似通っている場合が多いのでその商品を確認できたとしても品番や名称等を認識することは容易ではない。
【０００４】
そして、このような商品の販売促進活動を行う際しては、顧客に対してその商品の強い印象を与えると共に営業マンや販売員等がその商品の説明等を行い易いように、複数の商品のサンプル等を提示するという手法がよく用いられるが、前記したような特性を有する形状が略同一である容器にそれぞれ収納された同じ用途に使用される商品を顧客に複数提示する場合には、前記したように営業マンや販売員等がその品番や名称等を認識することは容易ではないので、その商品の品番や名称等を見分けるのに手間取ったり、所望の品番の商品を直ぐに顧客に対して提示できなかったりしてしまい、販売促進活動の効率が低下すると共に顧客に対して悪い印象を与えるという問題があった。特に、得意先に外交して販売促進活動を行う営業マンは、このような商品のサンプル等を顧客に提示する場合には、これらの複数の商品を鞄等に入れて持ち歩くことが多く、実際に所望の品番の商品を顧客に提示する際には狭い鞄の中を捜索しなければならなくなってしまうので、更に所望の品番の商品を提示するのに手間取ってしまうという問題があった。
【０００５】
そこで、形状が略同一である容器にそれぞれ収納された同じ用途に使用される複数の商品を陳列することができ且つこのように所望の品番の商品を提示するのに手間取らないようにするために、例えば複数のテスター化粧品受けが多段状に架設されているテスター化粧品陳列台（例えば、特許文献１参照。）や試用見本を種別毎に纏めて収納陳列する集中テスターカウンター用棚部に各種アイテムが収納される各種形態の陳列用モジュールをそれぞれタイル状に敷き詰めた状態で並べる試用見本陳列装置（例えば、特許文献２参照。）が提案されている。
【０００６】
しかしながら、複数のテスター化粧品受けが多段状に架設されているテスター化粧品陳列台は、店頭に設置されて使用することが前提であるのでこれを営業マンや販売員等が持ち歩くことが不可能な構成であると共に、その構成上用途が化粧品を陳列することに限られているという問題があった。また、試用見本を種別毎に纏めて収納陳列する集中テスターカウンター用棚部に各種アイテムが収納される各種形態の陳列用モジュールをそれぞれタイル状に敷き詰めた状態で並べる試用見本陳列装置では、各種アイテムに対応するために多くの陳列用モジュールが必要となるので、陳列装置全体が大きくそして重くなってしまうのでこれを営業マンや販売員等が持ち歩くには不便であると共に形状が略同一である容器にそれぞれ収納された同じ用途に使用される複数の商品を陳列するのには不向きな構成であるという問題があった。
【０００７】
【特許文献１】
特開平９−２８５２９号公報
【特許文献２】
登録実用新案第３０７６７４４号公報
【０００８】
【発明が解決しようとする課題】
本発明は、前記従来技術の問題点を解消し、形状が略同一である容器にそれぞれ収納された同じ用途に使用される複数の商品を、営業マンや販売員等が得意先や店頭でその商品の説明や宣伝等の販売促進活動を行い易いように携帯して陳列するための携帯用商品陳列具を提供することを課題とする。
【０００９】
【課題を解決するための手段】
本発明者は前記課題を解決すべく鋭意研究の結果、形状が略同一である容器にそれぞれ収納された同じ用途に使用される複数の商品を陳列する携帯用商品陳列具を、陳列される商品がそれぞれ収納される容器と略同一の厚さの平面形状が長方形の発泡弾性板状体より成る保持体に、その容器と略同一形状の複数の保持部と各保持部に並設する表示部とをそれぞれ貫通して穿設すると共に、その保持体の一面に一端を除いて３つの周囲が固着されている透明な合成樹脂板製の二重構造より成る用紙収納体を固着し、その用紙収納体内に保持体の表示部に商品の品番や名称等を示す商品表示用紙を収納することにより構成すれば、保持体の厚さは陳列される商品が収納される容器の厚さと略同一であるから携帯用商品陳列具全体の厚さがその容器の厚さと比較して用紙収納体の厚さ分のみしか厚くならないため全体をコンパクトにし且つ全体の重量を非常に軽くすることができると共に、発泡弾性板状体より成る保持体の一面に透明な合成樹脂板製の二重構造より成る用紙収納体を固着する構成にすることによって陳列される商品を保持するのに充分な強度を確保させることができるので、営業マンや販売員等が携帯し易く持ち歩くのに好適であり、また用紙収納体内に保持体の表示部に商品の品番や名称等を示す商品表示用紙を収納することによって、保持体の各保持部に並設された表示部に各保持部に保持される商品の品番や名称等が表示されるので一見してそれぞれの保持部に保持された商品の品番や名称等を認識することができると共に、保持体に陳列する商品を変更したい場合には商品表示用紙を差し替えるだけで対応することができるので、営業マンや販売員等がその商品の説明や宣伝等の販売促進活動を行い易いと共に効率良く販売促進活動を行うことできることを究明して本発明を完成したのである。
【００１０】
即ち本発明は、形状が略同一である容器にそれぞれ収納された同じ用途に使用される複数の商品を陳列するための携帯用商品陳列具であって、該容器の形状と略同一形状の複数の保持部と該各保持部に並設する表示部とがそれぞれ貫通して穿設されている該容器の厚さと略同一の厚さの平面形状が長方形の発泡弾性板状体より成る保持体と、一端を除いて３つの周囲が固着されている透明な合成樹脂板製の二重構造より成り該保持体の一面に固着されている該保持体とその平面形状が同一な用紙収納体と、該用紙収納体内に収納されて少なくとも該保持体の表示部に商品の品番や名称等を示す商品表示用紙とを備えていることを特徴とする携帯用商品陳列具である。
【００１１】
そして、保持部と表示部とが連通していれば、その表示部がどの保持部の表示部であるかを容易に把握することができると共に、保持部と連通した部位において保持部に保持された容器の側面が露出するから保持部より保持された容器を取り外し易いので好ましいことも究明したのである。
【００１２】
また、保持部にそれぞれ取外し部が連通して設けられていれば、取出し部において保持部に保持された容器の側面が露出するから、保持部が並設されている表示部と連通していない場合であっても保持部から保持された容器を取り外し易いと共に、保持部が並設されている表示部と連通している場合は保持部に保持された容器の側面の露出する箇所が増えるので更に容易に保持部より保持された容器を取り外すことができて好ましいことも究明したのである。
【００１３】
更に、商品表示用紙が保持体の保持部に保持される容器内の商品の形状等を保持部に対応する位置に示している商品表示用紙であれば、商品を容器から取り出した後にどの商品がどの容器に収納されていたのかが判らなくなってしまった場合や、保持体の保持部より商品を取り外して再び元の保持部に戻す場合であっても、一見して直ぐにその商品を元の容器や保持部に戻すことができるので好ましいことも究明したのである。
【００１４】
更に、商品表示用紙が容器にそれぞれ収納される同じ用途に使用される複数の商品を概観できる説明を保持体への固着面と反対側に示している商品表示用紙であれば、一連の商品群のそれぞれの商品の品番や形状等を容易に把握することができ、また一連の商品群の総ての商品を一つの本発明に係る携帯用商品陳列具に陳列することができない場合であっても、陳列されていない商品についてもその商品の品番や形状等が把握できると共にその商品の説明や宣伝等の販売促進活動を行い易いので好ましいことも究明したのである。
【００１５】
更に、保持体及びこの保持体に固着された用紙収納体が外部より確認できるように透明な収納ケース内に収納されていれば、保持体の保持部に保持されたそれぞれの商品の容器を保護することができると共に容器が保持体より脱落することを確実に防止することができ、また発泡弾性板状体より成る保持体が外部と直接接触することにより保持体自体が劣化したり破損したりするのを防ぐことができて好ましいことも究明したのである。
【００１６】
【発明の実施の態様】
以下、図面により本発明に係る携帯用商品陳列具ついて詳細に説明する。
図１は本発明に係る携帯用商品陳列具の１実施例の斜視説明図、図２は本発明に係る携帯用商品陳列具の他の実施例の斜視説明図、図３は図２のＡ−Ａ線部で切断した状態を示す説明用斜視図、図４は２組の携帯用商品陳列具が一つの収納ケースに収納される状態を示す斜視説明図である。
【００１７】
図面中、１は陳列される同じ用途に使用される複数の商品がそれぞれ収納される形状が略同一である容器Ｐの厚さと略同一の厚さの平面形状が長方形の発泡弾性板状体より成る保持体であって、図１，図２，図３及び図４に示す如くこの保持体１には陳列される複数の商品がそれぞれ収納された容器Ｐの形状と略同一形状の複数の保持部１ａと各保持部１ａに並設する表示部１ｂとがそれぞれ貫通して穿設されており、この保持体１の一面には、この保持体１とその平面形状が同一な後述する用紙収納体２が固着されている。
【００１８】
この保持体１としては、発泡弾性板状体より成るものであれば特に限定されないが、発泡性のポリウレタン系樹脂を原料とする多孔性合成ゴムより成るものであれば、保持部１ａや表示部１ｂを穿設する際の加工が容易であると共に、保持部１ａに保持された容器Ｐや商品自体を破損から保護する能力が優れているので好ましい。
【００１９】
そしてこの保持体１の保持部１ａは、保持される容器Ｐの形状と略同一の形状の穴を保持体１に貫通して穿設することにより形成されており、この保持部１ａの内側に形成された面が容器Ｐの側面と接して摩擦抵抗力を生じせしめることによって容器Ｐを保持する役目を果たす。そして、図１に示す如く保持体１を貫通して穿設された表示部１ｂが各保持部１ａに並設されており、この表示部１ｂは後述する用紙収納体２内に収納される後述する商品表示用紙３に表示された商品の品番等をこの表示部１ｂを通して確認できるようにすると共に、一見してそれぞれの保持部１ａに保持された商品の品番や名称等を認識させる役目を果たす。
【００２０】
そして、この保持体１の保持部１ａ及び表示部１ｂとしては図１に示す如く単に各保持部１ａに表示部１ｂが並設されて保持体１に貫通して穿設されているものであってもよいが、図２，図３及び図４に示す如く保持部１ａと並設されている表示部１ｂとがそれぞれ連通して保持体１に貫通して穿設されているものであれば、その表示部１ｂがどの保持部１ａの表示部１ｂであるかを容易に把握することができると共に、保持部１ａと連通した部位において保持部１ａに保持された容器Ｐの側面が露出するから保持部１ａより保持された容器Ｐを取り外し易いので好ましい。
【００２１】
また、この保持部１ａにそれぞれ取外し部１ｃが連通して設けられている態様の場合には、取外し部１ｃにおいて保持部１ａに保持された容器Ｐの側面が露出するから図１に示す如く保持部１ａが並設されている表示部１ｂと連通していない場合であっても保持部１ａより保持された容器Ｐを取り外し易いと共に、図４に示す如く保持部１ａが並設されている表示部１ｂと連通している場合は保持部１ａに保持された容器Ｐの側面の露出する箇所が増えるので更に容易に保持部１ａより保持された容器を取り外すことができて好ましい。そして、この取外し部１ｃとしては図１及び図４に示す如くそれぞれの保持部１ａに連通するように保持部１ａに接している保持体１の一部を切り欠くようにして取外し部１ｃを形成しても、また図示しないがそれぞれの保持部１ａに連通するように保持部１ａに接している保持体１を貫通して穿設するようにして取外し部１ｃを形成してもよい。
【００２２】
２は一端を除いて３つの周囲が固着されている透明な合成樹脂板製の二重構造より成り保持体１の一面に固着されている保持体１とその平面形状が同一な用紙収納体であって、内部に後述する商品表示用紙３が収納されると共に全体が捩れたり撓んだりしないように全体の強度を維持させる役目を果たす。
【００２３】
この用紙収納体２としては、透明で硬質な合成樹脂板製より成るものであれば特に限定されない。そして、この二重構造の用紙収納体２を形成する際には、一方の透明な合成樹脂板の一端を除いて残りの３つの周囲のそれぞれの端縁部に接着剤等を塗布し、他方の透明な合成樹脂板を重ね合わせてその接着剤等が塗布された部分で合成樹脂板同士を固着するように形成すればよいが、図１，図２及び図３に示す如く一方の透明な合成樹脂板の一端を除いて残りの３つの周囲のそれぞれの端縁部に細長い帯状の合成樹脂板を固着し、その固着された細長い帯状の合成樹脂板上に他方の透明な合成樹脂板の端縁部を固着して用紙収納体を形成すれば、合成樹脂板同士の間に細長い帯状の合成樹脂板の厚さの分だけ隙間が生じるので後述する商品表示用紙３を収納する際に用紙収納体２内に収納し易いので好ましい。
【００２４】
３は用紙収納体２内に収納されて少なくとも保持体１の表示部１ｂに商品の品番や名称等を示す商品表示用紙であって、それぞれの表示部１ｂに並設する保持部１ａに保持されたそれぞれの容器Ｐに収納された商品の品番や名称等を示すことによって、一見して陳列された商品を認識させる役目を果たす。
【００２５】
この商品表紙用紙３は、図１，図２及び図３に示す如く用紙収納体２内に収納された際にそれぞれの保持部１ａに並設する表示部１ｂに対応する位置にそれぞれの保持部１ａに保持される容器Ｐ内の商品の品番や名称等が表示されるように構成されており、この商品表示用紙３としては、紙等にそれぞれの商品の品番や名称等が印刷されたものや紙等にそれぞれの商品の品番や名称等が表示されたラベルが貼着されたものが好ましく使用される。
【００２６】
そして、この商品表示用紙３が図１，図２，図３及び図４に示す如く保持体１の保持部１ａに保持される容器Ｐ内の商品の形状等を保持部１ａに対応する位置に示している商品表示用紙であれば、商品を容器Ｐから取り出した後にどの商品がどの容器Ｐに収納されていたのかが判らなくなってしまった場合や、保持体１の保持部１ａより商品を取り外して再び元の保持部１ａに戻す場合であっても、一見して直ぐにその商品を元の容器Ｐや保持部１ａに戻すことができるので好ましい。
【００２７】
また、この商品表示用紙３が図４に示す如く容器Ｐにそれぞれ収納される同じ用途に使用される複数の商品を概観できる説明を保持体１への固着面と反対側に示している商品表示用紙であれば、一連の商品群のそれぞれの商品の品番や形状等を容易に把握することができ、また一連の商品群の総ての商品を一つの本発明に係る携帯用商品陳列具に陳列することができない場合であっても、陳列されていない商品についてもその商品の品番や形状等が把握できると共にその商品の説明や宣伝等の販売促進活動を行い易いので好ましい。
【００２８】
４は保持体１及びこの保持体１に固着された用紙収納体２が外部より確認できるように収納される透明な収納ケースであって、保持体１の保持部１ａに保持されたそれぞれの商品の容器Ｐを保護することができると共に容器Ｐが保持体１より脱落することを確実に防止すると共に、発泡弾性板状体より成る保持体１が外部と直接接触することにより保持体１自体が劣化したり破損したりするのを防ぐ役目を果たす。
【００２９】
この収納ケース４としては、アクリル樹脂等の透明な合成樹脂等で形成され保持体１及びその保持体１に固着された用紙収納体２が収納できるように直方体の一面が開閉できるような構成のもの（図示せず）であっても、また図３に示す如く直方体の側方の一面より保持体１及びその保持体１に固着された用紙収納体２を出し入れできるように直方体の側方の一面が存在しない構成のものであってもよい。また、この収納ケース４は保持体１及びその保持体１に固着された用紙収納体２が１組収納できるように構成されていてもよいが、図３に示す如く保持体１及びその保持体１に固着された用紙収納体２が２組収納できるように構成されていれば、より多くの商品を陳列することができるので好ましい。
【００３０】
このような構造の本発明に係る携帯用商品陳列具を使用するには、先ず形状が略同一である容器Ｐにそれぞれ収納された同じ用途に使用される複数の商品の内、陳列を希望する商品を選択すると共に選択されたそれぞれの商品を保持体１のどの保持部１ａに陳列するかを決定し、その決定に基づいて商品表示用紙３を作成する。
【００３１】
即ち、商品表紙用紙３が用紙収納体２内に収納された際にそれぞれの保持部１ａに並設する表示部１ｂに対応する位置にそれぞれの保持部１ａに保持される容器Ｐ内の商品の品番や名称等が表示されるように商品表示用紙３を作成する。そして、商品表示用紙３が保持体１の保持部１ａに保持される容器Ｐ内の商品の形状等を保持部１ａに対応する位置に示す商品表示用紙である場合には、それぞれの保持部１ａに対応する位置にそれぞれの保持部１ａに保持される容器Ｐ内の商品の形状等が表示されるように商品表示用紙３を作成する。また、商品表示用紙３が容器Ｐにそれぞれ収納された同じ用途に使用される複数の商品を概観できる説明を保持体１への固着面と反対側に示す商品表示用紙である場合には、容器Ｐにそれぞれ収納された同じ用途に使用される複数の商品を概観できる説明を、商品表示用紙３の容器Ｐ内の商品の品番や名称等や容器Ｐ内の商品の形状等を表示していない方の面に表示されるように商品表示用紙を作成する。
【００３２】
次に、この作成した商品表示用紙３を用紙収納体２内に固着されていない一端より挿入して収納する。この際、商品表示用紙３に表示された商品の品番や名称等や商品の形状等がそれぞれの表示部１ｂや保持部１ａに対応するように商品表示用紙３の用紙収納体２内に収納される位置を微調整する。
【００３３】
次いで、それぞれの表示部１ｂや保持部１ａを通して見ることができる商品表示用紙３に表示された商品の品番や名称等や商品の形状等を確認しながら、それぞれの商品を容器Ｐごとそれぞれの商品に対応した保持部１ａに用紙収納体２が固着されている面と反対側の面より挿入して保持させる。この際、保持体１は容器Ｐの厚さと略同一厚さに形成されているから、容器Ｐの底面が用紙収納体２の面に当接するまで容器を挿入すれば、保持された容器Ｐは保持体１の面より突き出ることがないので、商品が陳列された状態においてそれぞれの保持部１ａに保持されたそれぞれの容器Ｐが他のものと接触したり引っ掛かったりすることによって抜け落ちることはないのである。
【００３４】
そして、保持体１及びこの保持体１に固着された用紙収納体２が外部より確認できるように透明な収納ケース４内に収納されている場合には、商品が陳列された状態で保持体１及びこの保持体１に固着された用紙収納体２を収納ケース４内に収納する。
【００３５】
このようにして本発明に係る携帯用商品陳列具に形状が略同一である容器Ｐにそれぞれ収納された同じ用途に使用される複数の商品を陳列した際において、所望の商品を保持体１の保持部１ａより取り出したい場合には、その所望の商品の品番や名称等をそれぞれの表示部１ｂに表示された商品の品番や名称等より探し出して、容器Ｐと保持部１ａとが接している部位の保持体１を指等で用紙収納体２の方向へ変形させて容器Ｐの側面を露出させて、その容器Ｐの露出した側面を指で引っ掛けるようにしてその所望の商品を容器Ｐごと保持部１ａより取り外せばよい。
【００３６】
そして、保持部１ａが並設されているそれぞれの表示部１ｂと連通している態様の場合には、表示部１ｂの保持部１ａと連通した部位において容器Ｐの露出した側面に指等を引っ掛けて取り外せばよく、また保持部１ａにそれぞれ取外し部１ｃが連通して設けられている態様の場合には、取出し部１ｃの保持部１ａと連通した部位において容器Ｐの露出した側面に指等を引っ掛けて取り外せばよいのである。
【００３７】
【発明の効果】
以上に詳述した如く、本発明に係る携帯用商品陳列具は、形状が略同一である容器にそれぞれ収納された同じ用途に使用される複数の商品を陳列する携帯用商品陳列具を、陳列される商品がそれぞれ収納される容器と略同一の厚さの平面形状が長方形の発泡弾性板状体より成る保持体に、その容器と略同一形状の複数の保持部と各保持部に並設する表示部とをそれぞれ貫通して穿設すると共に、その保持体の一面に一端を除いて３つの周囲が固着されている透明な合成樹脂板製の二重構造より成る用紙収納体を固着し、その用紙収納体内に保持体の表示部に商品の品番や名称等を示す商品表示用紙を収納することにより構成されているから、保持体の厚さは陳列される商品が収納される容器と略同一であるから携帯用商品陳列具全体の厚さがその容器の厚さと比較して用紙収納体の厚さ分のみしか厚くならないことによって全体をコンパクトにし且つ全体の重量を非常に軽くすることができると共に、発泡弾性板状体より成る保持体の一面に透明な合成樹脂板製の二重構造より成る用紙収納体が固着されている構成にすることによって陳列される商品を保持するのに充分な強度を確保することができるので、営業マンや販売員等が携帯するのに好適であり、また保持体の表示部に商品の品番や名称等を示す商品表示用紙が用紙収納体内に収納されていることによって、保持体の各保持部に並設された表示部に各保持部に保持される商品の品番や名称等が表示されるので一見してそれぞれの保持部に保持された商品の品番や名称等を認識することができると共に、保持体に陳列する商品を変更したい場合には商品表示用紙を差し替えるだけで対応することができるので、営業マンや販売員等がその商品の説明や宣伝等の活動を行い易いと共に効率良く販売促進活動を行うことできるのである。
【００３８】
そして、保持部と表示部とが連通していれば、その表示部がどの保持部の表示部であるかを容易に把握することができると共に、保持部と連通した部位において保持部に保持された容器の側面が露出するから保持部より保持された容器を取り外し易いので好ましいのである。
【００３９】
また、保持部にそれぞれ取外し部が連通して設けられていれば、取出し部において保持部に保持された容器の側面が露出するから、保持部が並設されている表示部と連通していない場合であっても保持部より保持された容器を取り外し易いと共に、保持部が並設されている表示部と連通している場合は保持部に保持された容器の側面の露出する箇所が増えるので更に容易に保持部より保持された容器を取り外すことができて好ましいことのである。
【００４０】
更に、商品表示用紙が保持体の保持部に保持される容器内の商品の形状等を保持部に対応する位置に示している商品表示用紙であれば、商品を容器から取り出した後にどの商品がどの容器に収納されていたのかが判らなくなってしまった場合や、保持体の保持部より商品を取り外して再び元の保持部に戻す場合であっても、一見して直ぐにその商品を元の容器や保持部に戻すことができるので好ましいのである。
【００４１】
また、商品表示用紙が容器にそれぞれ収納された同じ用途に使用される複数の商品を概観できる説明を保持体への固着面と反対側に示している商品表示用紙であれば、一連の商品群のそれぞれの商品の品番や形状等を容易に把握することができ、また一連の商品群の総ての商品を一つの本発明に係る携帯用商品陳列具に陳列することができない場合であっても、陳列されていない商品についてもその商品の品番や形状等が把握できると共にその商品の説明や宣伝等の販売促進活動を行い易いので好ましいのである。
【００４２】
更に、保持体及びこの保持体に固着された用紙収納体が外部より確認できるように透明な収納ケース内に収納されていれば、保持体の保持部に保持されたそれぞれの商品の容器を保護することができると共に容器が保持体より脱落することを確実に防止することができ、また発泡弾性板状体より成る保持体が外部と直接接触することにより保持体自体が劣化したり破損したりするのを防ぐことができて好ましいのである。
【００４３】
このような種々の効果を奏する本発明に係る携帯用商品陳列具が販売促進活動に貢献する価値は非常に大きなものである。
【図面の簡単な説明】
【図１】本発明に係る携帯用商品陳列具の１実施例の斜視説明図である。
【図２】本発明に係る携帯用商品陳列具の他の実施例の斜視説明図である。
【図３】図２のＡ−Ａ線部で切断した状態を示す説明用斜視図である。
【図４】２組の携帯用商品陳列具が一つの収納ケースに収納される状態を示す斜視説明図である。
【符号の説明】
１  保持体
１ａ  保持部
１ｂ  表示部
１ｃ  取外し部
２  用紙収納体
３  商品表示用紙
４  収納ケース
Ｐ  容器
【図１】
2004159818.tif 000003
【図２】
2004159818.tif 000004
【図３】
2004159818.tif 000005
【図４】
2004159818.tif 000006